(57)【要約】精密ピンセットであって、小さな物体を掴むために、親指と人差し指の間で把持されるように構想された二つのアーム（１）を有し、該アームのうちの少なくとも一つに、取り換え可能なチップ（２）が付けられる。アームは、金属製あるいはセラミック製であり、一方、取り換え可能なチップのうちの少なくとも一つは、木製であり、好ましくはツゲ材あるいはシデ材で作られる。チップ（２）は、アーム（１）に対して、ねじ（１０）によってねじ留めされる。チップ（２）には、把持用端部（２０）と、固定用部分（２１）とがあり、これらの両者間には位置決め用の段差部が設けられる。この精密ピンセットの木製チップにより対象の物体を傷つけることを防止でき、交換可能なチップ構造のため使用寿命を伸延できる。【選択図】図１
2012521301.tif 000002
【特許請求の範囲】
【請求項１】
ピンセットであって、小さな物体を掴むために、親指と人差し指の間で把持されるように構想された二つのアーム（１）を有し、該アームのうちの少なくとも一つにチップ（２）が付けられ、該アーム用に使用される材料が前記チップ用に使用される材料と異なり、
前記チップが、木材から作られることを特徴とする、ピンセット。
【請求項２】
前記チップが少なくとも一つ、取り外し可能に前記アームに留められ、該チップが取り換え可能であることを特徴とする、請求項１に記載のピンセット。
【請求項３】
前記チップ（２）が、ツゲ材あるいはシデ材で作られることを特徴とする、請求項１または２に記載のピンセット。
【請求項４】
前記二つのアームのそれぞれの先端に、取り換え可能な木製チップ（２）を有することを特徴とする、請求項１〜３のいずれか一つに記載のピンセット。
【請求項５】
前記取り換え可能な単数あるいは複数のチップ（２）が、対応する前記アーム上にリベットで留められることを特徴とする、請求項１〜４のいずれか一つに記載のピンセット。
【請求項６】
前記取り換え可能な単数あるいは複数のチップ（２）が、対応する前記アーム上にねじで留められることを特徴とする、請求項１〜４のいずれか一つに記載のピンセット。
【請求項７】
二つのねじ（１０）を有し、該ねじが、それぞれが前記アーム（１）の向こう側に横切る穴を通過し、そしてそれぞれが前記木製チップを通り抜ける穴の中にはめ込まれるものであることを特徴とする、請求項６に記載のピンセット。
【請求項８】
前記ねじ（１０）が、木材ねじであって、チップの木材の中に該ねじ自身のねじ溝を作り出すものであることを特徴とする、請求項７に記載のピンセット。
【請求項９】
前記ねじ（１０）が、金属製ねじであって、前記チップの木材に事前に機械加工されるねじ溝にかみ合うものであることを特徴とする、請求項７に記載のピンセット。
【請求項１０】
前記単数あるいは複数のチップ（２）が、アーム（１）に対するチップ（２）の縦方向の位置を定義するために、対応するアーム（１）の端に寄り掛かる段差部（２２）を有することを特徴とする、請求項１〜９のいずれか一つに記載のピンセット。
【請求項１１】
前記単数あるいは複数のチップ（２）が、前記アーム（１）の先端よりも厚みがあることを特徴とする、請求項１〜１０のいずれか一つに記載のピンセット。
【請求項１２】
ピンセット用のチップであって、ピンセットのアーム上に取り外し可能に該チップを留めるための固定用手段を有し、該チップが木製であることを特徴とする、ピンセット用のチップ。
【請求項１３】
ツゲ材あるいはシデ材で作られることを特徴とする、請求項１２に記載のピンセット用のチップ。
【請求項１４】
木材ねじを用いてねじ込まれるように構想された二つの平滑な穴が設けられることを特徴とする、請求項１２又は請求項１３に記載のピンセット用のチップ。
【請求項１５】
ねじ溝をつけられた二つの穴が設けられることを特徴とする、請求項１２〜１４のいずれか一つに記載のピンセット用のチップ。
【請求項１６】
ピンセット用のチップであって、把持用端部（２０）と、前記穴が設けられる固定用部分（２１）とを有し、把持用端部（２０）が固定用部分（２１）よりも厚く、該把持用端部と該固定用部分との間の接合部に寄り掛かりの段差部（２２）を定義するようになっており、該段差部が、前記穴の中心線と平行であることを特徴とする、請求項１２〜１５のいずれか一つに記載のピンセット用のチップ。
【発明の詳細な説明】
【技術分野】
【０００１】
本発明は、精密ピンセット、とりわけ取り換え可能なチップを用いた精密ピンセットに関するものである。
【背景技術】
【０００２】
ピンセットは、小さな物体を掴んで保持するために、親指と人差し指の間で把持されるように構想された二つのアームを有する、やっとこ（把持工具）である。
【０００３】
例えば化粧品や、時計製造、宝飾品類製造、医療、エレクトロニクス産業などの、非常に小さな物体を掴み、保持し、そして調べることが必要な分野における精度要求を満たすために、多くの異なるピンセットがある。精密ピンセットは、例えば時計職人用ピンセット、宝石職人用ピンセット、医療用ピンセットなど、非常に精密な作業を対象としたピンセットを大まかに特定する。精密ピンセットは、一般に非常に小さい製作公差、典型的には約十分の一ミリメートルの製作公差で作られるが、このことにより、両チップが、たくさん動いた後であっても、互いの上に正確に重ね合わさり密接して閉まることを、確保することができる。
【０００４】
ピンセットのチップは、しかしながら、先端が丸くなってしまう傾向にある。さらに、大抵の場合チップだけが異なる、多様な形のピンセットを製造するには費用がかかる。
【０００５】
これらの理由のため、取り換え可能なチップを有するモジュラーピンセットが、技術の現状において既知である。このように、アームを保ちながらチップを交換することができる。種々のアームを数を限って製造して、それらアームに種々のチップを提供することによって広範囲のピンセットを実現することもまた可能である。
【０００６】
仏国特許発明第２２６５４９９号明細書は、ねじ又はリベットでアームに留められる取り換え可能なチップをもつピンセットを記載している。この連結により、正確な位置決めは可能となるが、しかしチップを速く且つ便利に交換することはできない。
【０００７】
米国特許第３，６７７，１１２号明細書は、やっとこのアームの穴に入り込むチップをもつ、プラスチック製のピンセットを記載している。
【０００８】
チップは、ピンセットの消耗部品にあたる。あまりにも頻繁にチップを交換しなければならないという不都合を避けるために、チップは、大抵、アーム用に使用される材料とは異なる、より硬い材料で作られる。
【０００９】
ピンセットのアームとチップは、ほとんどの場合、金属製であり、例えば、スチール製、サージカルスチール（医用ステンレス）製、金製などである。アーム用に金属を利用することにより、弾性的に変形可能であるという利点がもたらされ、すなわち、アームは、力が掛けられると変形することができ、また力が放たれるとその最初の形に戻る。例えばセラミック材料のピンセットおよびピンセットのチップもまた既知である。完全に金属製、セラミック製、あるいは他の硬い材料製であるピンセットは、消耗や裂傷に対して強い耐久性があるという利点を有するが、しかしピンセットが掴むあるいは触れる部品に傷をつけてしまうという不都合を有する。しかしながら、時計製造の分野あるいは宝飾品類製造の分野においては、部品は表面の状態が完璧で、よってピンセットでの作業が原因となるいかなる引っかき傷あるいは跡もないことが望まれる。
【００１０】
完全に木材で作られたピンセットもまた既知である。例えば、米国特許第７，２１６，９１０号明細書は、食物を掴むために構想された、木製のアーム二本を有するトングを記載している。この大きなサイズの工具は、手の平と親指の間で掴まれるように構想されている。したがって、この工具は、上記のここでの定義に従ったピンセットとはみなされない。両アームを互いに向かって動かすことは、両アームを互いにつなぐヒンジを変形させることによって達成され、両アームそれら自体は実際には変形しない。
【００１１】
この工具では、小さい部品に対して精密加工ができない。完全に木製の長い両アームは、それどころか、両チップが互いの上に正確に密接して閉まることさえできないように変形しかねない。
【発明の概要】
【発明が解決しようとする課題】
【００１２】
本発明の一つの目的は、既知のピンセットにおける数々の制約事項から解放されるピンセットを提案することである。とりわけ、一つの目的は、精密な時計製造に適合したピンセット、ただしピンセットによって掴まれる部品つまりピンセットのチップと接触する部品に傷をつけないピンセットを提案することである。
【課題を解決するための手段】
【００１３】
本発明によると、これらの目的は、例えば金属製、セラミック製、複合材料製、あるいはプラスチック材料製の第一の材料で作られたアームと、木材で作られたチップとを有するピンセットによって、とりわけ達成される。
【００１４】
このピンセットは、正確に閉まる長持ちする金属製アームの利点と、掴まれる部品を傷つけるおそれがなく、また使用済みの際に簡単に交換できる、より柔らかいチップの利点とを、兼ね備える。この両チップは、有利には、チップが簡単に交換できるように、取り換え可能である。
【００１５】
木材の利用は、このような状況において驚くべきことであるが、これは、この材料が柔らか過ぎて精密ピンセットに必要な精度で機械加工することは難しすぎると通常見なされるからである。しかしながら、研究と数々の試験により、この先入観に反して、少なくともいくつかの種類の木材が、精密ピンセット用チップの工業的生産に完璧に適合していることを証明することができている。適切な樹木の品種のさまざまな例が、以下に示される。
【００１６】
木材で作られたピンセットのチップはまた、電子工学における応用にとっても有利であり、というのも、木材というものは非伝導性で、静電気がまったく帯電しないからである。
【図面の簡単な説明】
【００１７】
本発明の実施例は、以下のような付属の図面によって解説される説明において示される。
【００１８】
【図１】本発明に係るピンセットの斜視図であって、金属製アーム上にねじで留められる木製チップが備わっている。
【００１９】
【図２】本発明に係るピンセットの側面図である。
【００２０】
【図３】本発明に係るピンセットの斜視図であって、金属製アーム上にリベットで留められる木製チップが備わっている。
【発明を実施するための形態】
【００２１】
図１は、二つのアーム１を有するピンセットの例を示しており、それら両アームは、非磁性かつ耐食性の金属製であり、例えばステンレススチール、金、Ｄｕｍｏｘｅｌ（登録商標）、セラミック、複合材料、あるいは合成材料製である。両アームは、互いに溶接されるかリベットで留められる。両アームは、静止位置では開いており、そして両チップが物体を掴むために互いの方に近づくことを可能にするのに十分な弾力性を有する。
【００２２】
図１のピンセットには、二つの先の尖ったチップ２がついており、それら両チップは、両アームの端に取り外し可能な態様で留められる。他の形をチップに利用することもできる。一対のピンセットは、このように、さまざまな形と大きさの数組のチップを付けて、売り出し流通させることもできる。さらに、ただ一つの取り外し可能なチップの付いたピンセットを作ることもできるし、および／あるいは異なる形、材料あるいはタイプの二つのチップの付いたピンセットを作ることもできる。
【００２３】
本発明によると、チップ２は木材から作られ、このことにより、掴まれる部品に傷をつけることや、チップと接触する部品に穴を開けることを避けることが可能となる。
【００２４】
好ましい実施例において、チップ２のうちの少なくとも一つは、ツゲ材、好ましくはヨーロッパあるいは南米のツゲ材で作られる。別の実施例において、少なくとも一つのチップは、シデ材で作られる。多くの試験を経てこれらの二つの樹木の品種を特定して選択するに至ったのであるが、それら試験において、これらの樹木の品種のみが工業的規模でのピンセットのチップの製造に適していると証明されてきたのであって、これら樹木の品種は、約十分の一ミリメートルの寸法公差と、ピンセットのチップへの応用に適した硬さと、湿気に対する優れた耐久性とを備えているものである。この木材は、有利には、水および各種の酸への耐久性を向上させるために処理される。
【００２５】
図１の実施例において、双方のチップ２は、それぞれ、二つのねじ１０によってアーム１の端に留められる。ねじは、アーム１の向こう側に横切る穴を通過し、そしてチップ２の木材のより小さい直径の穴の中にはめ込まれる。有利な実施例において、ねじは木材ねじであって、この木材ねじは、ねじがチップを通して穴にねじ込まれるときにそのねじ自身のねじ溝を作り出すものである。この実施例により、チップが、締め付けトルクによって制御される圧力で、アームに対して最適に固定されることを確保することが可能となる。
【００２６】
しかしながら、木製チップの中を通って前もってねじ溝をつけられた穴にはめ込まれる、金属製ねじを使用することもまた可能である。この実施例は、チップがねじ留めされる度に変形することなく、同じチップを何度か再利用することを可能にするものである。しかしながら、アームとチップの間の遊びを取り除くことはより困難であり、またねじ切りの事前工作は、チップのコストを増す。
【００２７】
図３の実施例において、双方のチップ２は、それぞれ、二つのリベット１２によってアーム１の端に留められる。この場合、組み立てと分解には、図１の実施例を分解するのに必要な単純なスクリュードライバーより一般性の低い工具が必要となるが、しかし不測のねじの緩みのおそれは避けられる。
【００２８】
アームにクリップ留めされるチップも、例えば接着によって固定式に決定的にアームに結合されるチップもまた、例えば単回使用つまり使いきりピンセットとして、本発明の枠の中で利用されることができる。しかしながら、取り換え可能なチップの利用は、アームよりも速く消耗する傾向にある木製チップを用いる場合、とりわけ有利である。
【００２９】
チップ２は、木材からなるにも拘わらず要求される剛性を得るために、有利には、アームの端よりも厚みがある。ここで図示される実施例において、各チップは、物体を掴むために構想された部分であるチップの把持用端部２０と、チップ２を取り外し可能にアーム上にしっかり留めることを目的とするチップの固定用部分２１とを有する。把持用端部２０は、固定用部分２１よりも厚みがある。したがって厚みの異なるこれらの二つの部分の間の接合部は、こうしてチップの段差部２２を作り出すが、この段差部は、対応するアームの先端に寄り掛かるように構想された部分を定義するものである。チップの縦方向の位置は、このように、対応するアーム１の端に寄り掛かるようになる段差部２２によって定義される。両アームに対する両チップの横方向の整列は、ねじあるいはリベットにより確保される。あるいは縦溝や他の整列手段も利用することができる。
【００３０】
チップ２は、アーム１とは独立して販売されることができる。
【００３１】
さらに、わずかに損傷した木製チップは、場合により、その耐用年数を延ばすために修繕されたり少しずつ削られたりすることができる。
【符号の説明】
【００３２】
１    アーム
２    チップ
１０  ねじ
１２  リベット
２０  把持用端部
２１  固定用部分
２２  段差部
【先行技術文献】
【特許文献】
【００３３】
【特許文献１】仏国特許発明第２２６５４９９号明細書
【特許文献２】米国特許第３，６７７，１１２号明細書
【特許文献３】米国特許第７，２１６，９１０号明細書
【図１】
2012521301.tif 000003
【図２】
2012521301.tif 000004
【図３】
2012521301.tif 000005
【国際調査報告】
2012521301.tif 000006
2012521301.tif 000007